(57)【特許請求の範囲】
【請求項１】
釣糸が巻回されるスプールと、このスプールを回転自在に支持するリール本体とを備えた魚釣用両軸受型リールにおいて、
前記リール本体は、前記スプールを支持する左右のフレームと、これらフレームの側部にそれぞれ取り付けられる側板とによって構成され、
前記側板のうち前記スプールを回転駆動させる巻取り駆動部を支持する一方の側板と対向する前記フレームは、該側板と対向する面に形成された開口部と、該開口部の径より大きい径をもって該開口部の内側に中グリケース状に形成された収容空間とを有し、前記開口部が形成されたフレームの面の周縁部には、該開口部を径方向外側に広げる切り欠きが前記収容空間に連通するように形成されていると共に、前記開口部が側板によって閉塞されることを特徴とする魚釣用両軸受型リール。
【発明の詳細な説明】
【０００１】
【発明の属する技術分野】
本発明は魚釣用両軸受型リールに関する。
【０００２】
【従来の技術】
一般に、魚釣用両軸受型リールは、釣糸が巻回されるスプールと、スプールを回転自在に支持するリール本体とからなる。リール本体は、スプールを支持する左右のフレームと、各フレームの側部に取り付けられる側板とによって構成される。
【０００３】
スプールを回転駆動させる巻取り駆動部を支持する一方の側板（以下、支持側板という。）は、巻取り動作に支障をきたさないよう、複数のネジによって対応するフレームに強固に取り付けられている。
【０００４】
支持側板とフレームとの間の空間内には、前記巻き取り駆動部からの駆動力をスプールに伝達するための駆動力伝達機構や、スプールに釣糸を平行に巻回するレベルワインド機構を駆動するための駆動機構等が並設されている。すなわち、支持側板は、これらの機構を収容してその外側をカバーしている。このような両軸受型リールの構成は、実公昭６０−８６９３号公報や実公平６−２０３３８号公報等に開示されているように従来から一般的に知られている。
【０００５】
【発明が解決しようとする課題】
このように、フレームに取り付け固定される支持側板は、フレームとの間に並設された各種の駆動機構を収容するとともにその外周をカバーする構成上、収容カバーされる駆動機構全体の径方向の大きさに応じて、その外径が大きくなってしまう。その結果、リール全体が大型化してしまい、リールの把持性や携帯性等の点で不具合を生じていた。
【０００６】
本発明は前記事情に着目してなされたものであり、その目的とするところは、側板の外径を極力小さくして全体の小型化を図ることができる魚釣用両軸受型リールを提供することにある。
【０００７】
【課題を解決するための手段】
前記課題を解決するために、本発明は、釣糸が巻回されるスプールと、このスプールを回転自在に支持するリール本体とを備えた魚釣用両軸受型リールにおいて、前記リール本体は、前記スプールを支持する左右のフレームと、これらフレームの側部にそれぞれ取り付けられる側板とによって構成され、前記側板のうち前記スプールを回転駆動させる巻取り駆動部を支持する一方の側板と対向する前記フレームは、該側板と対向する面に形成された開口部と、該開口部の径より大きい径をもって該開口部の内側に中グリケース状に形成された収容空間とを有し、前記開口部が形成されたフレームの面の周縁部には、該開口部を径方向外側に広げる切り欠きが前記収容空間に連通するように形成されていると共に、前記開口部が側板によって閉塞されることを特徴とする。
【０００８】
【発明の実施の形態】
以下、図面を参照しつつ本発明の実施形態について説明する。
図１〜図３は本発明の第１の実施形態を示している。図１に示すように、本実施形態に係る魚釣用両軸受型リール１は、釣糸が巻回されるスプール３と、スプール３を回転自在に支持するリール本体とからなる。リール本体は、スプール３を支持する左右のフレーム２ａ，２ｂと、各フレーム２ａ，２ｂの側部に取り付けられる側板１ａ，１ｂとによって構成される。また、左右のフレーム２ａ，２ｂは、これらの間に架設される複数の支柱４０（図２参照）とともに一体成形されている。図中右側に位置する側板（以下、支持側板という。）１ｂは、スプール３を回転駆動させる巻取り駆動部（後述する）３０を支持している。
【０００９】
右フレーム２ｂと支持側板１ｂとの間には一定の空間が形成され、この空間内に後述する駆動力伝達系やドラグ系等の各種機構が収容されている。また、側板１ａ，１ｂは、円形状に構成されており、例えばビス、螺合、嵌合等によってフレーム２ａ，２ｂに装着されている。  なお、ビス１９によって装着する場合には、そのビス１９を隠蔽するように、側板１ａ，１ｂの外周にリング状の部材３ａ，３ｂを装着しても良い。
【００１０】
左右のフレーム２ａ，２ｂ間にはスプール軸５が軸受１０，１０を介して回転可能に支持されており、また、スプール軸５には釣糸が巻回されるスプール３が一体で固定されている。右フレーム２ｂから突出するスプール軸５の端部には、スプール軸５の軸方向に沿って移動可能なピニオンギア６が取り付けられている。この場合、ピニオンギア６は、  ピニオン軸１１に回転可能に支持されており、図示しない切換手段によって、スプール軸５と係合してスプール軸５と一体に回転する係合位置と、スプール軸５との係合状態が解除される非係合位置との間で移動される。具体的には、ピニオンギア６には、クラッチプレート１２が係合する円周溝が形成されている。クラッチプレート１２は、図示しない連結機構によってピニオン軸１１に沿って移動可能であり、図示しないクラッチ切換部材の操作によって駆動される。すなわち、クラッチ切換部材を押し下げ操作することによって、ピニオンギア６は、クラッチプレート１２を介して図１に示す位置から右側に移動され、スプール軸５との係合が外れる（クラッチＯＦＦ）。したがって、スプール３はフリー回転可能状態となる。
【００１１】
また、ピニオンギア６には駆動歯車７が噛合しており、駆動歯車７には巻取り駆動部３０を構成するハンドル軸８が取り付けられている。すなわち、ハンドル軸８は、ピニオンギア６と噛合する駆動歯車７を支持した状態で、支持側板１ｂに回転可能に支持されている。さらに、ハンドル軸８の端部には、ハンドル軸８とともに巻き取り駆動部３０を構成するハンドル２２が取り付けられている。したがって、ハンドル２２を回転操作すると、駆動歯車７とピニオンギア６とを介して、スプール軸５が回転駆動され、それに伴ってスプール３が回転される。
【００１２】
また、ハンドル軸８の途中にはハンドル軸８の一方向のみの回転を許容する一方向クラッチ２３が設けられ、ハンドル軸８の基端部には駆動歯車７と係合する摩擦板２５（ドラグ機構）がそれぞれ設けられている。摩擦板２５は、ハンドル２２に併設されたドラグ操作部材２７が回転されることによって軸方向に押圧されて駆動歯車７と摩擦係合し、ドラグ作用を与える。
【００１３】
また、ハンドル軸８の基端にはギア２８が設けられている。このギア２８は、駆動歯車７に連結されてこれと一体に回転するとともに、スプール３の前方側に配されたレベルワインド機構１５のウォームシャフト３２を駆動する駆動ギヤ３３と噛合している。レベルワインド機構１５は、外周面にトラバース溝が形成され且つ端部に駆動ギア３３が取り付けられたウォームシャフト３２と、このウォームシャフト３２を収容する筒体１７と、前記トラバース溝と係合してウォームシャフト３２の回転により筒体１７に沿って左右に摺動する係合子１８とを有しており、係合子１８に形成された孔を介してスプール３に巻回された釣糸を案内する。したがって、ハンドル２２を回転操作すれば、スプール３の回転および係合子１８の左右の摺動により、スプール３には釣糸が均等に巻回される。
【００１４】
なお、左フレーム２ａから突出するスプール軸５の端部には、スプール３の過回転を防止して、釣糸放出時のバックラッシュを防止するバックラッシュ防止機構２０が設けられている。
【００１５】
ところで、本実施形態において、支持側板１ｂが取り付けられる右フレーム２ｂは、図２に明確に示されるように、駆動機構を収容可能な収容空間５０を形成するケース状に構成されており、支持側板１ｂと対向する面に開口部５１を有している。この場合、開口部５１の径は、開口部５１の内側に形成される収容空間５０の径よりも小さくなっており、これにより、段差部５２が開口部５１と収容空間５０との間に形成される。すなわち、右フレーム２ｂは、その内部を一部切り欠くことによって形成される略中グリ構造を成している。また、開口部５１には、支持側板１ｂの端部が嵌入状態で取り付けられる。
【００１６】
図示のように、各種の駆動機構７，２５，２８，３３は、収容空間５０から開口部５１にわたって軸方向に積層収容されている。特に、本実施形態では、右フレーム２ｂに大径の収容空間５０が形成されているため、駆動歯車７に直接にレベルワインド機構１５の駆動ギア３３を噛合させず、駆動歯車７と噛み合い且つ駆動歯車７よりも小径のギア２８を駆動ギア３３と噛合させるようにしている。
【００１７】
以上説明したように、本実施形態の魚釣用両軸受型リール１において、支持側板１ｂが取り付けられる右フレーム２ｂは、支持側板１ｂと対向する面に形成された開口部５１と、開口部５１の内側に形成され且つ開口部５１より径が大きい収容空間５０とを有する略中グリ構造（ケース状）に構成されている。したがって、収容空間５０から開口部５１にかけてのスペースに駆動部品等を軸方向に重合配置することが可能となり、ムダのない収容が行なえ、支持側板１ｂすなわちリール本体の小型化が可及的に可能となる。すなわち、この構成において、支持側板１ｂは、右フレーム２ｂとの間に並設された駆動機構等をその内部に収容してカバーするのではなく、むしろ、駆動機構等を収容する右フレーム２ｂの開口部５１を閉塞するための閉塞部材として機能する。  したがって、支持側板１ｂは、その機能を達成し得る最小限の径を有していれば良いこととなる。
【００１８】
また、右フレーム２ｂがこのように中グリケース状に形成されていると、重量化の防止を図りながら強度アップが可能となり、強負荷巻き取り時や落下時の衝撃、外力等の影響を受けることなく、常時安定した機能を維持できる。
【００１９】
また、本実施形態では、右フレーム２ｂに大径の収容空間５０が形成されているため、駆動歯車７に直接にレベルワインド機構１５の駆動ギア３３を噛合させず、駆動歯車７と噛み合い且つ駆動歯車７よりも小径のギア２８と駆動ギア３３とを噛合させることが可能となる。したがって、駆動歯車７に直接に駆動ギア３３を噛合させる場合に比べて駆動機構の径方向の寸法を小さくすることが可能となり、結果的に、支持側板１ｂの外径を小さくすることができる。
【００２０】
なお、本実施の形態においては、図３に示すように、開口部５１が形成される右フレーム２ｂの端面の周縁部に、収容空間５０に連通する切り欠き６０が形成されている。このように切り欠き６０を形成すると、開口部５１の径よりも大きい径を有する部品を収容空間５０に対して組付け易くなる。
【００２１】
【発明の効果】
以上説明したように、本発明の魚釣用両軸受型リールによれば、側板の外径を極力小さくして全体の小型化を図ることができる。
【図面の簡単な説明】
【図１】本発明の第１の実施形態に係る魚釣用両軸受型リールの断面図である。
【図２】図１の魚釣用両軸受型リールの要部を示す拡大断面図である。
【図３】図１のＡ−Ａ線に沿う方向で見た右フレームの側面図である。
【符号の説明】
１…魚釣用両軸受型リール
１ａ，１ｂ…側板
２ａ，２ｂ…フレーム
３…スプール
３０…巻取り駆動部
５０…収容空間
５１…開口部
【図１】
0003542713.tif 000002
【図２】
0003542713.tif 000003
【図３】
0003542713.tif 000004